(57)【要約】【課題】新しい投影式万華鏡の出現に対応して、投影式万華鏡の可能性を生かし、それが作り出す射出光束および映像の全体像を把握することによって、投影万華鏡映像を利用した美しい光を放つ間接照明装置を考案した。【解決手段】  投影式万華鏡を壁付け照明箱の中に組み込み照明箱の壁面に接した面の一部または全部が万華鏡光を妨げないように透明板または開放されている構造として、多彩な色の組み合わせの万華鏡光を壁と天井、壁と床や壁と壁など同時に万華鏡映像を映し出すことを特徴とする万華鏡映像を発する間接照明装置【選択図】図１
0003148833.tif 000002
【実用新案登録請求の範囲】
【請求項１】
投影式万華鏡を壁付け照明箱の中に組み込み照明箱の壁面に接した面の一部または全部が万華鏡光を妨げないように透明板または開放されている構造として、多彩な色の組み合わせの万華鏡光を壁と天井、壁と床や壁と壁などに同時に万華鏡映像を映し出すことを特徴とする万華鏡映像を発する間接照明装置
【請求項２】
請求項１の万華鏡間接照明装置においてカラフルな万華鏡像を作り込む透明の色ガラス片やプラスチック片を封じ込めたオブジェクトをモーターなど動力源として自動回転させて、壁と天井、壁と床や壁と壁などに同時に映し出される万華鏡映像が自動的に変化することを特徴とする万華鏡映像を発する間接照明装置
【請求項３】
請求項１の万華鏡映像の間接照明装置において周囲で演奏されている音楽のテンポの変化に対応して万華鏡のオブジェクトの回転スピードが変化することを特徴とする万華鏡映像を発する間接照明装置
【考案の詳細な説明】
【技術分野】
【０００１】      投影式万華鏡を利用した間接照明装置に関するものである。
【背景技術】
【０００２】  万華鏡は、観察対象物である種々の形状や色彩を有するオブジェクトを、平面鏡を組み合わせた鏡筒を介して覗くものであり、オブジェクトが鏡筒内の鏡面系で多重に反射されて創出される多様にして繊細・優美な映像を鑑賞するものである。従来の万華鏡は片目で覗く大きさであるため鏡筒が小さく一時に覗いて鑑賞できる人数は１人だけである場合が多い。特別に大きな万華鏡であっても同時に鑑賞できる人数は２人から３人程度を上限とする。【０００３】  この制約を取り除いて多人数で同時に鑑賞して共通の感動を分かち合えるようにすることの意義は大きい。そこで、強い光源でオブジェクトを照らして生み出される明るい万華鏡映像を対物レンズと組み合わせて外部のスクリーンまたは物体表面に投映できる投影式万華鏡が発明されている（特許文献１参照）。【０００４】
【特許文献１】特願２００７−２８５５４６投影式万華鏡
【考案の開示】
【考案が解決しようとする課題】
【０００５】通常の間接照明装置はその光源として単色のランプやフィルターなどを使ったカラーランプが使われているのが通例であった。このため単純な明かりとしての機能しかなかったが新しい投影式万華鏡の出現に対応して、投影式万華鏡の可能性を生かし、それが作り出す射出光束および映像の全体像を把握することによって、投影万華鏡映像を利用した変化が多彩な美しい光を放つ間接照明装置が実現が求められていた。
【課題を解決するための手段】
【０００６】  投影式万華鏡を壁付け照明箱の中に組み込み照明箱の壁面に接した面の一部または全部が万華鏡光を妨げないように透明板または開放されている構造として、多彩な色の組み合わせの万華鏡光を壁と天井、壁と床や壁と壁などに同時に万華鏡映像を映し出すことを特徴とする万華鏡映像を発する間接照明装置を考案した。【０００７】  また本考案の万華鏡間接照明装置においてカラフルな万華鏡像を作り込む透明の色ガラス片やプラスチック片を封じ込めたオブジェクトをモーターなどで自動的にオブジェクトを回転させて天井、壁や床に映し出される映像が自動的に美しく変化することが見ている人を楽しませることの有効な手段となる。【０００８】  万華鏡映像を鑑賞するとき周囲で演奏されている音楽のテンポの変化に対応して万華鏡のオブジェクトの回転スピードを変化させると見ている人に更に感動を与えることができる。
【考案の効果】
【０００９】  本考案により、新しい投影式万華鏡システムによって、新しい変化に富んだ万華鏡映像をもった間接照明装置が実現できた。また、周囲の音楽や音にあわせて万華鏡映像の変化のスピードが変わることで見ている人に一層の感動を与える万華鏡映像を天井や床と壁など同時に多彩な映像を投影する間接照明装置を実現した。
【考案を実施するための最良の形態】
【００１０】投影万華鏡の射出光束の光軸を、スクリーン面にほぼ平行となるように配置する。すなわち、壁面または衝立などに接線的な方向から照射するシステムでは、それぞれのオブジェクト光芒の光軸に近い切断面がスクリーン上に現れ、オブジェクトの色彩に応じた線状ないしリボン状の細長い映像が現れる。システム配置の例とともに、実像と鏡像から成るオブジェクト映像が作り出す投影映像の全体を作図で示すことが難しいので、一つのオブジェクト光芒の作る映像の例を、図１に示す。図１（Ａ）はその側面図、図１（Ｂ）は正面図である。オブジェクトの位置や相互位置関係が変化すると、オブジェクト光芒の位置や間隔などが変化するので、映像に多彩な変化が生ずる。実際にはこの映像が高くミラーで多重反射を繰り返してスクリーン上での映像はミラー多重反射により大きく広がった映像となる。正三角形のミラーを使ったときの多重反射映像の事例を図２に記載する。射出光束をスクリーン面に垂直に近い角度で投影する配置では、従来の万華鏡映像に近い映像が鑑賞できる。【００１１】  図１（Ｂ）の上部に９０度折り返した１片のオブジェクトの従来の万華鏡増をしましている。スクリーン角度を変化させるシステムによって、線状映像に近い映像から従来の万華鏡映像に近い映像を同時に鑑賞できる。【００１２】  すなわち、図１（Ａ）、（Ｂ）に示す例では、室内の壁面に上向きに投影式万華鏡を設置し、壁面と天井面に映像を投影する利用方法の実施例である。部屋のコーナーに設置する利用方法では、２つの壁面と天井面にそれぞれ異なった映像を投影できる。
図１（Ａ）、（Ｂ）に示す例の上下を逆にして取り付けた場合、壁と床に同時に投影映像が現れる。同様に９０度回転したときには壁と部屋のコーナーの壁に同時に投影画像が現れる。【００１３】  図３は周囲の音楽や音のテンポに対応して万華鏡のオブジェクトの回転が変化するシステムの構成図を示す。このシステムにより万華鏡映像を鑑賞している人は更なる安らぎを与えることができる。
【産業上の利用可能性】
【００１４】本考案により、店舗やコンコースまた家庭内において、カラフルで変化のある万華鏡映像を発する新しい発想の間接照明を間単に取り付けて映像を楽しむことができるようになった。
【図面の簡単な説明】
【００１５】
【図１】壁とほぼ９０度の天井に同時に投影した場合の間接照明装置  （Ａ）  側面図  （Ｂ）  正面図
【図２】光軸と直交するスクリーン上に正三角形に組み立てられたミラーを使ったときの多重反射映像の事例
【図３】周囲の音楽に同期して万華鏡画像を変化させる万華鏡映像を発する間接照明装置の構成
【符号の説明】
【００１６】  １    投影万華鏡
２    光源
３    多角ミラー中空筒体
４    結像レンズ
５    オブジェクト片
６    オブジェクト片の実像
７    壁面
８    天井面
９    ９０度回転させた天井面
１０    照明箱
１１    取り付け板
１２    天井に投影されたオブジェクト片の実像
１３    ミラー筒
１４    オブジェクトケース
１５    光源用電源
１６    モーター電源
１７    拡散板
１８    集光レンズ
１９    光源
２０    集音マイク
２１    サンプリング回路
２２    デジタルアナログ変換回路
２３    スーパーギア
２４    ピニオンギア
２５    モーター
【図１】
0003148833.tif 000003
【図２】
0003148833.tif 000004
【図３】
0003148833.tif 000005